(57)【要約】【課題】電子写真式印刷装置の光学ユニットでは、検知センサに照射されたレーザビームの反射光が見え辛く走査位置の確認が難しい為、走査位置の調整が非常に困難である。【解決手段】３９０〜４２０ｎｍ波長のレーザビームを発振するレーザ発振部と、レーザビームを集光させるレンズと、レーザビームを反射させ感光体上を走査させる回転多面鏡と、レーザビームの位置を検知し、印刷書き出し位置を制御する為の検知センサとを備えた電子写真式印刷装置の光学ユニットにおいて、前記レーザビームの走査線上に蛍光部材を配置する。【選択図】          図１
2004198924.tif 000002
【特許請求の範囲】
【請求項１】
３９０〜４２０ｎｍ波長のレーザビームを発振するレーザ発振部と、レーザビームを集光させるレンズと、レーザビームを反射させ感光体上を走査させる回転多面鏡と、レーザビームの位置を検知し、印刷書き出し位置を制御する為の検知センサとを備えた電子写真式印刷装置の光学ユニットにおいて、前記レーザビームの走査線上に蛍光部材を配置したことを特徴とする電子写真式印刷装置の光学ユニット。
【請求項２】
前記蛍光部材は、前記検知センサの直前又は直後に配置されることを特徴とする請求項１記載の電子写真式印刷装置の光学ユニット。
【請求項３】
前記蛍光部材は、３９０〜４２０ｎｍ波長のレーザビームが照射される場合において、レーザビームが照射される部分が可視光にて発光することを特徴とする請求項１記載の電子写真式印刷装置の光学ユニット。
【発明の詳細な説明】
【０００１】
【発明の属する技術分野】
本発明は、電子写真式印刷装置の光学ユニットに関するものである。
【０００２】
【従来の技術】
図２〜４により、従来の電子写真式印刷装置の光学ユニットを説明する。
【０００３】
図２は従来技術の検知センサの構成を示す正面図である。
【０００４】
図３は電子写真式印刷装置の光学ユニットの構成を示す概略斜視図である。
【０００５】
図４は光学ユニットと感光体との位置関係を示す斜視図である。
【０００６】
電子写真式印刷装置の光学ユニット１３は、レーザ発振部１、レーザビーム２、レンズ３、ミラー４、レンズ５、レンズ６、回転多面鏡７、ｆ・θレンズ８、ミラー９、検知センサ１０、ミラー１１により構成され、感光体１４は光学ユニット１３のミラー１１の先に配置されている。
【０００７】
書き込み用光源であるレーザ発振部１より発振された３９０〜４２０ｎｍ波長のレーザビーム２は、感光体１４上で焦点を結ぶようレンズ３、ミラー４、レンズ５、レンズ６を通過し、ビーム径を変えながら回転多面鏡７に照射される。回転多面鏡７に照射し、反射されたレーザビーム２は、ｆ・θレンズ８を経由し、ミラー９とミラー１１により反射される。ミラー９により反射されたレーザビーム２は、検知センサ１０上を、また、ミラー１１によって反射されたレーザビーム２は、感光体１４上を走査し、所望の画像の書き込みを行う。検知センサ１０にはスリット１０ａが設けてあり、スリット１０ａを通過したレーザビーム２を検知する。検知センサ１０と感光体１４は回転多面鏡７からの距離が等しくなるよう配置されている。
【０００８】
検知センサ１０は、スリット１０ａを通過したレーザビーム２を検知すると印刷書き出し位置を決定する為の信号を発生する。感光体１４上の書き出し位置は、検知センサ１０がレーザビーム２を検知してから、一定の時間を経た後に印刷を開始するよう制御されている為、検知センサ１０のスリット１０ａ上にレーザビーム２が走査されない場合は、エラーとなり印刷動作は実施されない。
【０００９】
レーザビーム２の走査位置の調整は、検知センサ１０に照射されたレーザビーム２の反射光により走査位置を確認しながら、レーザビーム２がスリット１０ａ上を走査するようミラー９の角度を調整する。
【００１０】
検知センサ１０を始め光学ユニット１３内部では、レーザビーム２の乱反射を防ぐ為、反射防止材料が用いられている。
【００１１】
従来、レーザ光検出装置にレーザ光走査基準位置を示すマーキングを設けるとともに、前記マーキングにレーザ光を乱反射させる部材を用いてレーザ光を目視可能とするものがあった（例えば、特許文献１参照。）。
【００１２】
しかしながら、現在のプリンタでは、印刷速度の高速化の為、応答特性の良いセレン感光体を使ったドラムと、このセレン感光体に対して感度の高い３９０〜４２０ｎｍ波長のレーザビームを用いている。印刷高速化に適した前記波長のレーザは人間の目には暗く映り、非常に視認し辛い。その為、前記レーザ光を乱反射させて視認性を向上させる方法では、調整に足る十分な視認性を得るには不十分であった。
【特許文献１】
特開平８−３６７６７号公報
【００１３】
【発明が解決しようとする課題】
上記したような従来技術の電子写真式印刷装置の光学ユニットでは、検知センサに照射されたレーザビームの反射光が見え辛く走査位置の確認が難しい為、走査位置の調整が非常に困難である。
【００１４】
本発明の目的は、上記した従来技術の問題点を解消し、レーザビームの走査位置の確認が容易で、走査位置の調整が容易となる電子写真式印刷装置の光学ユニットを提供することである。
【００１５】
【課題を解決するための手段】
上記課題を解決する為、本発明では、３９０〜４２０ｎｍ波長のレーザビームを発振するレーザ発振部と、レーザビームを集光させるレンズと、レーザビームを反射させ感光体上を走査させる回転多面鏡と、レーザビームの位置を検知し、印刷書き出し位置を制御する為の検知センサとを備えた電子写真式印刷装置の光学ユニットにおいて、前記レーザビームの走査線上に蛍光部材を配置したことを特徴とする。
【００１６】
また、前記蛍光部材は、前記検知センサの直前又は直後に配置されることを特徴とする。
【００１７】
さらに、前記蛍光部材は、３９０〜４２０ｎｍ波長のレーザビームが照射される場合において、レーザビームが照射される部分が可視光にて発光することを特徴とする。
【００１８】
【発明の実施の形態】
本発明の実施形態を図１により説明する。
【００１９】
図１は本発明の一実施形態にもとづく電子写真式印刷装置の光学ユニット内の検知センサの構成を示す正面図である。
【００２０】
検知センサ１０のスリット１０ａの左右には、３９０〜４２０ｎｍ波長のレーザビームが照射される場合において、レーザビームの照射部分が可視光で発光する蛍光部材１２が配置される。蛍光部材１２は、長手方向に対しスリット１０ａ長以上の範囲をカバーする大きさとなっている。
【００２１】
上記構成によれば、レーザビーム２が検知センサ１０のスリット１０ａ上を走査するよう調整する際に、蛍光部材１２上のレーザビーム２が照射された部分が可視光で発光することにより、レーザビーム２の走査位置を容易に確認でき、走査位置の調整が容易となる。
【００２２】
【発明の効果】
本発明によれば、レーザビームの走査位置上に蛍光部材を配置することにより、レーザビームの走査位置を容易に確認でき、走査位置の調整が容易な電子写真式印刷装置の光学ユニットが提供される。
【図面の簡単な説明】
【図１】本発明の一実施形態に基く検知センサの構成を示す正面図である。
【図２】従来技術の検知センサの構成を示す正面図である。
【図３】電子写真式印刷装置の光学ユニットの構成を示す概略斜視図である。
【図４】図４は光学ユニットと感光体との位置関係を示す斜視図である。
【符号の説明】
１…レーザ発振部、２…レーザビーム、３…レンズ、４…ミラー、５…レンズ、６…レンズ、７…回転多面鏡、８…ｆ・θレンズ、９…ミラー、１０…検知センサ、１０ａ…スリット、１１…ミラー、１２…蛍光部材、１３…光学ユニット、１４…感光体である。
【図１】
2004198924.tif 000003
【図２】
2004198924.tif 000004
【図３】
2004198924.tif 000005
【図４】
2004198924.tif 000006